(57)【要約】      （修正有）【課題】ステイプラされた幾つかのシート束を効率的に大グループとしてひとまとめにし、かつ、大グループとしてひとまとめにされた幾つかのシート束を、小グループとして容易に細分化できるシート後処理装置を提供する。【解決手段】束状になったシート束に綴じ処理を施す第一綴じ処理手段と、シート束を移動しないように保持する第一保持手段と、シート積載手段に積載されたシート束を排出する排出手段と、排出手段により排出されたシート束を移動しないように保持する第二保持手段と、を備え、排出手段にて排出されたシート束に対して、再び綴じ処理する第二綴じ処理手段を追加し、かつ、第二綴じ処理後のシート束を退避させる退避手段を設けた。【選択図】図１７
2012121711.tif 000002
【特許請求の範囲】
【請求項１】
画像形成されたシートを搬送する搬送手段と、
シートが積載されるシート積載位置に順次シートが排出されるシート積載手段と、
前記シートの搬送方向に対して交差する方向に前記シートを移動させる交差方向移動手段と、
前記交差方向移動手段によって移動させられた前記シートの側端整合手段と、
前記側端整合手段に受け止められて束状になったシート束に綴じ処理を施す第一綴じ処理手段と、
前記シート又はシート束を移動しないように保持する第一保持手段と、
前記シート積載手段に積載されたシート又はシート束を排出する排出手段と、
前記排出手段により排出されたシート束を移動しないように保持する第二保持手段と、を備え、
前記排出手段にて排出されたシート束に対して、再び綴じ処理する第二綴じ処理手段を追加し、かつ、第二綴じ処理後のシート束を退避させる退避手段を設けたことを特徴とするシート後処理装置。
【請求項２】
前記第一綴じ処理手段での綴じ位置と、前記第二綴じ処理手段での綴じ位置の間に、ミシン目が付加されるような構成のミシン目付加手段を設けたことを特徴とする請求項１記載のシート後処理装置。
【請求項３】
前記第一綴じ処理手段は、前記第二綴じ処理手段を兼ねていることを特徴とする請求項１または２に記載のシート後処理装置。
【請求項４】
前記第一綴じ処理手段は、ジョブごとに綴じ位置をずらして綴じ動作を行うことを特徴とする制御手段を有する請求項１から３の何れか１項に記載のシート後処理装置。
【請求項５】
請求項１から４の何れか１項に記載したシート後処理装置を備えた、画像形成装置。
【発明の詳細な説明】
【技術分野】
【０００１】
本発明は、電子写真複写機やプリンタ等の画像形成装置に付設されて使用され、該画像形成装置から順次排出されるシートを整合して所定のシート束を形成し、該シート束に対して綴じ（ステイプル）処理を施す画像形成装置のシート後処理装置に関する。
【背景技術】
【０００２】
従来、複写機、プリンタ、ファクシミリ、及びこれらの複合機等の画像形成装置の装置本体には、その装置本体で画像を形成したシートを綴じるステイプラ、或いはシートに孔をあけるシート後処理装置が接続、或いは組み込まれていることがある。
このようなシート後処理装置は、画像形成装置の装置本体から順次排出されるシートを一旦シート積載手段に積載し、揃えて束状にしてからシートを綴じるステイプル動作を行い、排出手段によって排出シート積載手段に排出する。そして、ステイプルされた幾つかのシート束が、排出シート積載手段に順次積載されていくわけである。
【先行技術文献】
【特許文献】
【０００３】
【特許文献１】特開２００５−１３２６０９号公報
【発明の概要】
【発明が解決しようとする課題】
【０００４】
しかし、従来、ステイプルされた幾つかのシート束が、排出シート積載手段に順次積載されていくわけであるが、会議や学校、塾など、主に同一資料を配布する際、ステイプルされた幾つかのシート束（小グループとする）を一まとめに整理（バラバラに散乱しないように）するために、クリップ等でファイリング（大グループ）する必要があった。すなわち、従来のシート後処理装置におけるステイプル動作は、ステイプラされた幾つかのシート束をまとめる構成ではなかった。
本発明は上述の問題点に鑑みて為されたものであり、ステイプラされた幾つかのシート束を効率的に大グループとしてひとまとめにし、かつ、大グループとしてひとまとめにされた幾つかのシート束を、小グループとして容易に細分化できるシート後処理装置を提供することを目的としている。
【課題を解決するための手段】
【０００５】
本発明のシート後処理装置は、画像形成されたシートを搬送する搬送手段と、シートが積載されるシート積載位置に順次シートが排出されるシート積載手段と、前記シートの搬送方向に対して交差する方向に前記シートを移動させる交差方向移動手段と、前記交差方向移動手段によって移動させられた前記シートの側端整合手段と、前記側端整合手段に受け止められて束状になったシート束に綴じ処理を施す第一綴じ処理手段と、前記シート又はシート束を移動しないように保持する第一保持手段と、前記シート積載手段に積載されたシート又はシート束を排出する排出手段と、前記排出手段により排出されたシート束を移動しないように保持する第二保持手段と、を備え、前記排出手段にて排出されたシート束に対して、再び綴じ処理する第二綴じ処理手段を追加し、かつ、第二綴じ処理後のシート束を退避させる退避手段を設けたことを特徴としている。
【発明の効果】
【０００６】
本発明に係るシート後処理装置では、ステイプラされた幾つかのシート束を効率的に大グループとしてひとまとめにし、かつ、大グループとしてひとまとめにされた幾つかのシート束を、小グループとして容易に細分化することができる。
【図面の簡単な説明】
【０００７】
【図１】本発明に係る画像形成装置の構成を示す断面説明図である。
【図２】本発明に係るシート後処理装置の構成を示す断面説明図である。
【図３】ミシン目ユニットを通過するシートの上視図である。
【図４】オフセットローラの動作、それに伴うシートの動きを説明した図である。
【図５】オフセットローラの動作、それに伴うシートの動きを説明した図である。
【図６】オフセットローラの動作、それに伴うシートの動きを説明した図である。
【図７】オフセットローラの動作、それに伴うシートの動きを説明した図である。
【図８】オフセットローラの動作、それに伴うシートの動きを説明した図である。
【図９】オフセットローラの動作、それに伴うシートの動きを説明した図である。
【図１０】オフセットローラの動作、それに伴うシートの動きを説明した図である。
【図１１】シート束にステイプラが付加された図である。
【図１２】ステイプラ後のシート束をスタックトレイに移動を開始しようとしている図である。
【図１３】シート束排出部材でシート束をスタックトレイに排出する方法を示した図である。
【図１４】シート束がスタックトレイ上に保持されていることを示した図である。
【図１５】複数のシート束がスタックトレイ上に保持されていることを示した図である。
【図１６】複数のシート束に対する、ステイプル位置を示した図である。
【図１７】ステイプラユニット４２０がスタックトレイ側へシフトしたことを示す図である。
【図１８】スタックトレイ整合板によりスタックトレイ上のシート束群を横方向にシフトしたことを示す図である。
【図１９】本発明に係るシート後処理装置の動作を説明するフローチャートである。
【発明を実施するための形態】
【０００８】
以下、本発明の実施形態のシート後処理装置を図に基づいて説明する。
図１は、本発明のシート後処理装置を備えた複写機の概略構成正面図である。
なお、画像形成装置は複写機、ファクシミリ、プリンタおよびこれらの複合機等がある。従って、本発明のシート後処理装置は複写機システムのみに接続されるものではない。
【０００９】
複写機５００は、リーダ部（読み取り手段）１００、プリンタ部２００で構成されている。複写機５００の上部には、原稿を１枚づつプラテンガラス１０２上に供給する自動原稿給送装置３００（以下、「ＡＤＦ」という）を設けてある。複写機５００の脇には、複写機５００から排出されたシートの後処理を行うミシン目ユニット６００及びシート後処理装置４００が接続されている。
【００１０】
図１において、リーダ部１００は、原稿を画像データに変換するようになっている。プリンタ部２００は、複数枚のシートを積載した複数種類のシートカセット２０４、２０５を有し、プリント命令により画像データをシート上に可視像として出力するようになっている。
【００１１】
リーダ部１００は、ＡＤＦ３００によって、原稿がプラテンガラス１０２上の所定の位置へ搬送されると、リーダ部１００のランプ１０３が点灯し、かつスキャナユニット１０４が移動して、ランプ１０３が原稿を照射する。原稿からの反射光は、ミラー１０５，１０６，１０７、及びレンズ１０８を通ってＣＣＤイメージセンサ部１０９に入力される。ＣＣＤイメージセンサ部１０９に照射された原稿の反射光は、ＣＣＤイメージセンサ部１０９で光電変換等の電気処理が行われ、通常のデジタル処理が施される。その後、これらの画像信号はプリンタ部２００に入力される。
【００１２】
プリンタ部２００に入力された画像信号は、露光制御部２０１で変調された光信号に変換されて、感光体（画像形成手段）２０２を照射する。この照射光によって感光体２０２上に作られた潜像は、現像器２０３によって現像される。そして、現像像の先端とタイミングを合わせて、シートカセット２０４、２０５の一方からシートが搬送されて、転写部２０６で上記現像された像がシートに転写される。この転写された像は、定着部２０７でシートに定着される。像を定着されたシートは、パス２１４をへて、シート排出部２０８から、複写機の装置本体５００の外部に排出される。その後、シートには、ミシン目ユニット６００及びシート後処理装置４００であらかじめ指定された動作モードに応じて、ミシン目付加、仕分け、綴じ等が行われる。
【００１３】
次に、順次読み込む画像を１枚のシートの両面に形成する順序を説明する。
定着部２０７で片面に像が定着されたシートは、実線の位置に保持された方向切り替え部材２０９，２１７によりパス２１５，２１８に案内されて、破線の位置に保持された方向切り替え部材２１３により反転パス２１２に案内される。
【００１４】
シートの後端が方向切り替え部材２１３を通過した後に、方向切り替え部材２１３を実線の位置に切り換えて、ローラ２１１の回転方向を反転すると、シートは、搬送方向を反転させられて、裏返しになり、被転写紙積載部２１０へ搬送される。そして、シートは、感光体２０２に送られる。次の原稿がプラテンガラス１０２に準備されると、上記プロセスと同様にして原稿の画像が読み取られるが、シートについては被転写紙積載部２１０から供給されるので、結局、同一シートの表面、裏面に２枚の原稿画像を形成することができる。
【００１５】
一方、上記シート後処理装置４００及びミシン目ユニット６００は、複写機５００から順次排出されるシートに対し、まず、必要に応じて上記ミシン目ユニット６００にてミシン目を付加し、次に、上記シート後処理装置４００にて、後処理動作を行うように構成されている。
【００１６】
図２は、図１に示したシート後処理装置４００及びミシン目ユニット６００の構成を説明するための拡大断面図である。
【００１７】
ミシン目ユニット６００は、プリンタ部２００から排出されたシートを受け取る。ミシン目ユニットシート受け入れ部６０３で受け取ったシートは、シート先端がシート長検出センサ６０２を通過し、シート長に応じて所定の時間経過後に、ミシン目装置６０１がシートに対してミシン目を付加する。
【００１８】
一方、シート後処理装置４００は、シートを仕分けるソート動作に加えて、ステイプルユニット４２０による綴じ動作であるステイプル機能を備える。上記のミシン目ユニット６００から排出されたシートは、シート受け入れ部４４１にては、シートを受け取る。シート受け入れ部４４１で受け取ったシートは、入口センサ４０３に検知されて、搬送ローラ４０５及びオフセットローラ４０７により搬送された後、後処理トレイ４１０上に排出される。その後、後処理トレイ410上にてシート束となり、シートクランプ機構４１２によって保持された状態で、シート束排出部材がスタックトレイ４２１方向に移動する。スタックトレイ４２１上でシートクランプ機構４１２がシート束を離すことでシート束を排出する。
【００１９】
次に、本発明の特徴の一つであるミシン目ユニットについて説明する。
【００２０】
図３（ａ）〜（ｄ）は、ミシン目ユニット６００の上視図である。はじめに、シート１先端がシート長検出センサ６０２を通過する（ａ）。次に、シート長に応じて所定の時間経過後に、ミシン目装置６０１がシート１に対してミシン目６０４を追加する（ｂ）。更に、ミシン目６０４が追加された後、ミシン目ユニット６００からシート１は排出され、シート後処理装置４００に受け渡される（ｃ）。ここで、ミシン目装置６０１はＡ方向に可動可能であり、シート１が給紙されるに際し、予めシートサイズに応じて、所定の位置に待機している構成となっている（ｄ）。具体的には、本画像形成装置ユーザが、予め画像形成シートサイズを選択した際に連動し、ミシン目装置６０１は所定の位置に待機する仕組みである。これにより、シートサイズに応じて自由にミシン目を付加することが可能となる。
【００２１】
図４から図１０までは、オフセットローラ動作、それに伴うシート束形成までの一連の流れを示した図である。
【００２２】
図４、５に示すように排出されたシートは、オフセットローラ４０７の搬送方向とは逆方向の回転によってシート後端ストッパ４１１まで戻す。その後、図６に示すように後端ストッパ４１１に搬送方向の端部を突き当てて整合動作を行う。
【００２３】
そして、図７に示すようにオフセットローラ４０７がシートに接地した状態で、シート１をステイプラユニット側に存在するシート幅方向整合位置４１６ａまで移動させることでシート幅方向の端部を揃える整合動作を行う。ここで、整合位置４１６ａは綴じ処理及び、シフト処理を行うシートに対しての整合位置である。図７は綴じ処理及び、シフト処理を行うシートに対しての整合位置４１６ａまで移動した場合を示している。
【００２４】
そして、シート幅方向の整合後、図７に示すように再度オフセットローラ４０７をシート搬送方向とは逆方向に回転させて、シート１の後端を後端ストッパ４１１に突き当てて整合を行っている。ここで、シート幅方向整合によって生じたシート搬送方向端部のズレを補正している。その後、整合ズレが補正されたシートはクランプ機構４１２により保持される。
【００２５】
図８、９に示すように、オフセットローラ４０７を上昇させ、その後整合されたシートは、クランプ機構４１２でシート１を圧接することによって所定の位置に保持され、順次送られてくるシートの連れ送り等の影響を受けないようになっている。順次排出されるシートは、図４から図１０の動作を繰り返すことによって後処理トレイ４１０上で整合されてシート束２とされる。ここで綴じ処理を行うシートが後処理トレイ４１０に積載されていれば、図１１に示すようにステイプルユニット４２０により綴じられる。このとき、シート幅方向の整合動作で、整合位置４１６ａに整合したシートに対してはステイプルユニット４２０によって綴じ動作が行われる。
【００２６】
その後、シート束はシートクランプ機構４１２によって保持された状態で、シート束排出部材がスタックトレイ４２１方向に移動する。スタックトレイ４２１上でシートクランプ機構４１２がシート束を離すことでシート束を排出する。
【００２７】
ここで、再び本発明の特徴の一つである、ステイプラユニット及びシート束の動作方法ついて説明する。
【００２８】
図１０から図１８までは、ミシン目６０４が付加されたシート１がシート束２となり、後処理トレイ４１０にてステイプルされ、更に、スタックトレイ４２１に排出された幾つかのシート束に対して、再度ステイプルされるまでの一連の流れを示した図である。
【００２９】
図１０は、ミシン目が付加されているシートが、束となっている状態を示している。ミシン目６０４が付加されているシート１は、整合位置４１６aに順次整合され、シート束２を形成していく。そして、図１１に示すように、ミシン目６０４が付加されているシート束２に対して、ステイプラユニット４２０によりステイプラ動作が行われる。このシート束２に付加されたステイプルを小グループステイプル４２３と呼ぶこととする。また、最下紙のシート束２に付加されたステイプルを４２３aとし、同様にミシン目を６０４aとする。
【００３０】
図１２は、シートクランプ部材４１２によりステイプラ後のシート束を、スタックトレイに移動を開始しようとしている図である。また、図１３では、シート束排出部材でシート束をスタックトレイに排出する方法を示した図である。このようにして後処理トレイ４１０上で整合されたシート束は、シートクランプ部材４１２がシート束を保持した状態でシート束排出部材４１３スタックトレイ421に向けて進出させることにより、後処理トレイ４１０からスタックトレイ４２１へ排出されるようになっている。本実施例のシート後処理装置４００はスタックトレイ４２１に積載されたシート束が後処理トレイ４１０の一部を構成していることから、後処理トレイからシート束の排出がなされると、スタックトレイ４２１は積載されたシート束の最上面が後処理トレイ４１０と略合致するまで下降する。更に、図１４に示すように、シート束２はスタックトレイ４２１上に排出された後、スタックトレイシートクランプ部材４１５により、スタックトレイ４２１上に保持される。
【００３１】
図１５は、ステイプル後のシート束が複数積載されて、スタックトレイシートクランプ部材４１５により、保持されている状態を示す図である。ここで、最上紙のシート束２に付加されたステイプルを４２３ｂとし、同様にミシン目を６０４ｂとする。また、図１６は、図１５のＸ部の詳細であり、複数のシート束に対する、ステイプル位置を示した図である。具体的には、シート束のステイプラ位置が、偶数束と奇数束で異なる構成となっている。（ａ）は、ｍ及び１が互い違いに異なっていることを示す図である。また、（ｂ）は、ｎ辺寄り及びｏ辺寄りが互い違いに異なっていることを示す図である。尚、ステイプル針自体の大きさと、ステイプル針からシート端部までの距離との兼ね合いを考慮し、２部、３部ずつなどの任意のシート束を周期的に、即ち規則性を持たせて、その位置を決定しても構わない。これにより、複数のシート束から構成される全体の積載高さスペースを抑える効果が得られる。
【００３２】
図１７は、複数のシート束(小グループ)を、一つの束(大グループ)とする為に、ステイプラユニット４２０がスタックトレイ４２１側へシフトしたことを示す図である。小グループのシート束に対してステイプルを付加したステイプラユニット４２０は、複数の小グループシート束が所定量スタックトレイ４２１に積載されたのち、再び大グループ束へステイプルを付加する為に、図中の矢印方向へ移動する。すなわち、一つのステイプラユニットが二つの機能（２度のステイプル動作）を有することで、２ヶ所それぞれにステイプルユニットを構成する必要はなく、コストメリットに寄与するものである。
【００３３】
図１８は、大グループへのステイプラ終了後、スタックトレイ退避壁４２２によりスタックトレイ上を横方向にシフトしたことを示す図である。大グループへのステイプラ動作が終了した後、スタックトレイシートクランプ部材４１５のシートへの保持が解除され、スタックトレイ退避壁４２２が矢印方向にシフトする。そして、大グループのシート束の退避が終了した後、スタックトレイ退避壁４２２は初期位置に戻り、次のシート束排出に備えるわけである。
【００３４】
図１９は、シート後処理装置の動作を説明するフローチャートである。ＣＰＵ１００は、内部に図示しないＲＯＭを有し、ＲＯＭに格納された、図１９のフローチャートを実行する制御プログラムを読み出しながら各部の制御を行うようになっている。また、ＣＰＵ１００は図示しないＲＡＭを内蔵する。ＲＡＭには作業用データや入力データが格納されており、ＣＰＵ１００はこれらのデータをもとに制御を行うようになっている。ＣＰＵ１００の入力ポートには入口センサ等のセンサを接続してある。ＣＰＵ１００はこれらのセンサの状態に基づき、ＲＯＭに格納された図１９のフローチャートを実行するプログラムに従って出カポートに接続された搬送モータ等の負荷を制御する。
【００３５】
ＣＰＵ１００はシリアルインターフェイス部を備えており、シート後処理装置４００及びミシン目ユニット６００の制御部と制御データの授受を行うようになっている。ＣＰＵ１００は、シリアルインターフェイス部を介してシート後処理装置４００の制御部から送られてくる制御データをもとに各部の制御を行う。
【００３６】
次に、以上のように構成された本実施例のシート後処理装置の動作を図１９に示すフローチャートに沿って説明する。
【００３７】
先ず、上記複写機５００による複写作業が開始されると、シート後処理装置４００及びミシン目ユニット６００のＣＰＵは複写機からシート排出信号を受信したか否かをチェックする（Ｓ１０）。そして、受信した場合、ミシン目付加有無の判別を行う（Ｓ１１）。有りの場合、予めユーザーにより選択されたシートサイズに基き、ミシン目装置６０１が所定の位置に移動する（Ｓ１２）。その後、シート長検出センサ６０２にてシート長さを検出し（Ｓ１３）、所定位置にミシン目６０４を付加する（Ｓ１４）。次に、シート１はミシン目ユニット６００を通過後、シート後処理装置４００へ受け渡される。
【００３８】
オフセットローラアーム４０６によって支えられているオフセットローラ４０７を、ピックアップソレノイド４３３によって引っ張り上げ（Ｓ１１０）、そして搬送モータ４３１を搬送方向に回転し、パス途中に設置されている搬送ローラ４０５が、複写機５００の排紙方向と同じ方向にシートが搬送できるようにする（Ｓ１２０）。最初のシートの先端が入口センサ４０３を通過し（Ｓ１３０）、シートが搬送ローラ４０５に到達し、シートに搬送ローラ４０５から動力が伝わる状態になり、複写機５００内部の搬送手段からシートが離れると、シートの受け渡しが完了する（Ｓ１４０）。搬送ローラ４０５により、シートを後処理トレイ４１０まで搬送しつつ、搬送ローラ４０５からシートが抜けきらないうちに、ピックアップソレノイド４３３をオフさせ、オフセットローラ４０７が自重でシートの上に着地する。その後、オフセットローラ４０７はシートを所定の位置まで搬送する（Ｓ１５０）。
【００３９】
その後、搬送モータ４３１の回転を停止し（Ｓ１６０）、シートの搬送を停止させる。オフセットローラ４０７の回転が止まった時点で、後端ストッパ４１１近傍に設置されているシートクランプ部材４１２をクランプソレノイド４３４をオンすることにより開く（Ｓ１９０）。搬送モータ４３１を搬送方向とは逆方向に回転させ、オフセットローラ４０７によって、シートを後端ストッパ４１１に突き当てる（Ｓ２００）。
【００４０】
シートを後端ストッパ４１１に突き当てる際のオフセットローラ４０７の回転量は、複写機５００から送られてくる際に生じるシートの斜行を考慮して、シートの搬送を止めてスイッチバックさせる地点から、後端ストッパ４１１までの距離よりも若干多く搬送できるように回転させている。
【００４１】
複写機５００から排出されるシートのサイズ情報をチェックし（Ｓ２００）、排出されるシートのサイズに応じたオフセット移動量、即ち後処理トレイ上４１０に挿入されたシートの幅方向の位置決め壁４１６に押し付けるために必要な移動距離を算出する（Ｓ２１０）。オフセットローラ４０７はオフセットモータ４３２により、ラックとピニオンを介して位置決め壁４１６までオフセット移動する（Ｓ２２０）。
【００４２】
オフセットローラ４０７に接したシートはオフセットローラ４０７の摩擦力によって位置決め壁４１６方向に、オフセットローラ４０７と共に移動する。オフセットローラ４０７はシートを位置決め壁４１６に突き当てた後、若干シートの上を滑りながら移動して止まり、オフセット移動後の搬送方向の整合ズレを補正するためにオフセットローラを再び搬送方向と逆に回転させて整合操作を行うことで、一枚目のシートの整合が完了する（Ｓ２３０）。
【００４３】
オフセットローラ４０７はピックアップソレノイド４３３によって持ち上げられた後（Ｓ２４０）、クランプソレノイド４３４をオフしシートクランプ部材４１２が閉じ、整合済みのシートを押さえて保持する。
【００４４】
これにより、最初に排出されたシートは、次に排出されるシートの搬送方向への搬送に対して連れ送られない。オフセットローラ４０７は持ち上げられた状態でオフセットモータ４３２により、ラックとピニオンを介してホームポジションまで移動する。
【００４５】
この後、後処理トレイ４１０上に収容されたシートが複写原稿の最終ページに対応したシートか否かチェックされ（Ｓ２８０）、複写機５００から送られてきた情報に基づいて最終ページでないと判断される場合は、Ｓ１００に戻って次に複写機５００から送られるシート排出信号を受信し、最終ページのシートが後処理トレイ４１０に収容されるまで、前述のフローを繰り返す。これにより、シート後処理装置４００及びミシン目ユニット６００の制御部は複写機５００からシートが排出される毎に、シートのサイズを把握すると共にそのシートに適したオフセット移動量を算出することになり、オフセットローラ４０７に接地されたシートは、算出した移動量に基づいて整合処理を受け、位置決め壁４１６に整合される。
【００４６】
一方、最終ページであると判断された場合には、後処理トレイ４１０上に複写原稿に対応したシート束が形成されていることとなるので、ステイプル処理が選択されているか否かをチェックし（Ｓ３００）、選択されている場合にはステイプルユニット４２０を駆動してステイプル処理を実行する（Ｓ３１０）。
【００４７】
ステイプル処理が完了した後、或いはステイプル処理が選択されていない場合は、シート束排出部材４１３がシート束排出モータ４３０により、ラックとピニオンを介して、シート束をシートクランプ部材４１２により掴んだ状態でスタックトレイ４２１方向に前進させ、シート束をスタックトレイ４２１に排紙し（Ｓ３２０）、スタックトレイ４２１の移動処理を行い（Ｓ３３０）、シート束排出部材４１３をホームポジションに戻し（Ｓ３４０）、搬送ローラ４０５、オフセットローラ４０７の回転を止めるため搬送モータ４３１を停止させて（Ｓ３５０）、ピックアップソレノイド４３３がオフさせてオフセットローラ４０７を下げる（Ｓ３６０）。さきの、スタックトレイ４２１上に排出されたシート束２は、スタックトレイシートクランプ部材４１５にて保持されている（Ｓ３７０）。
【００４８】
上記の一連の動作は、ＳＴＡＲＴからＳ３７０までをユーザー指定のＪｏｂに応じて、繰り返し行う。ここで、スタックトレイシートクランプ部材４１５は、シート束２が排出されるごとにその都度退避しながら、再度保持を行う（Ｓ３８０）。そして、複数のシート束２の排出が終了する（Ｓ３９０）。
【００４９】
更に、複数のシート束２に対して、大グループ（２度目のステイプル動作）としてのステイプル有無が判別される（Ｓ４００）。有りの場合、ステイプラユニット４２０がスタックトレイ４２１側に移動する（Ｓ４１０）。そして、ステイプル動作が行われる（Ｓ４２０）。続いて、次Ｊｏｂの有無が判別され（Ｓ４３０）、有りの場合は、スタックトレイ退避壁４２２が移動（Ｓ４４０）及び初期位置への復帰動作（Ｓ４５０）を行う。
上記フローチャートにて述べたように、本発明ではこのような一連の処理を実施するわけである。
【００５０】
尚、本発明の実施例では、小グループシート束を細分化する際にミシン目を用いているが、ミシン目が付加されていないとしても、ハサミなどの裁断装置を用いることで、同様の効果を得ることができる。また、シート束に付加するミシン目の形態等は、本実施例にて記載したものが全てではない。
【符号の説明】
【００５１】
１    ハンドスキャナハウジング
２    入力書面
３    １次元イメージセンサ
４    ワイドレンズ
５    照明ランプ
１  シート
２  シート束
１００  リーダ部
１０２  プラテンガラス
１０３  ランプ
１０４  スキャナユニット
１０５、１０６、１０７  ミラー
１０８  レンズ
１０９  ＣＣＤイメージセンサ部
２００  プリンタ部
２０１  露出制御部
２０２  感光体
２０３  現像器
２０４、２０５    シートカセット
２０７    定着部
２０８    シート排出部
２０９、２１３、２１７  方向切り替え部材
２１０  被転写紙積載部
２１１  ローラ
２１２  反転パス
２１４、２１５、２１８    パス
３００  自動原稿給送装置
４００  シート後処理装置
４０３  入口センサ
４０５  搬送ローラ
４０６  オフセットローラアーム
４０７  オフセットローラ
４１０  後処理トレイ
４１１  後端ストッパ
４１２  シートクランプ部材
４１３  シート束排出部材
４１５  スタックトレイシートクランプ部材
４１６  幅方向整合位置決め壁
４２０  ステイプラユニット
４２１  スタックトレイ
４２２  スタックトレイ退避壁
４２３  小グループステイプル
４２４  大グループステイプル
４３０ シート束排出モータ
４３１  搬送モータ
４３２  オフセットモータ
４３３  ピックアップソレノイド
４３４  クランプソレノイド
４４０ 入口ローラ
４４１  シート受け入れ部
５００  複写機
６００ ミシン目ユニット
６０１ ミシン目装置
６０２ シート長検出センサ
６０３ ミシン目ユニットシート受け入れ部
６０４ ミシン目
【図１】
2012121711.tif 000003
【図２】
2012121711.tif 000004
【図３】
2012121711.tif 000005
【図４】
2012121711.tif 000006
【図５】
2012121711.tif 000007
【図６】
2012121711.tif 000008
【図７】
2012121711.tif 000009
【図８】
2012121711.tif 000010
【図９】
2012121711.tif 000011
【図１０】
2012121711.tif 000012
【図１１】
2012121711.tif 000013
【図１２】
2012121711.tif 000014
【図１３】
2012121711.tif 000015
【図１４】
2012121711.tif 000016
【図１５】
2012121711.tif 000017
【図１６】
2012121711.tif 000018
【図１７】
2012121711.tif 000019
【図１８】
2012121711.tif 000020
【図１９】
2012121711.tif 000021